【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
Ａ．水及び１００℃より低い沸点を有する有機溶媒の混合溶媒溶液を調製し；
Ｂ．溶媒溶液を加熱し；
Ｃ．該溶媒溶液と、
（１）１種以上のビニル官能性カチオン性モノマー；
（２）１種以上の、炭素原子数１〜４のアルキル側鎖を有する疎水性ビニルモノマー；
（３）場合によっては約０モル％〜３０モル％の、炭素原子数が４よりも大きい線状又は分岐鎖アルキル基、アルキルヒドロキシ、ポリオキシアルキレン、又は他の官能基を有する１種以上の他のビニルモノマー；及び
（４）遊離基開始剤；
を混合して反応混合物を形成し；
Ｄ．モノマーを重合してイオン誘発性カチオン性ポリマーを与えるのに十分な時間、反応混合物を加熱し；
Ｅ．重合後に、
（１）該反応混合物に水を加えて、該イオン誘発性カチオン性ポリマーの水性分散液を与え、及び
（２）該反応混合物から有機溶媒の実質的に全部を除去する、
工程を、同時などの任意の順番で行う；
工程を含む、イオン誘発性カチオン性ポリマーの溶液重合方法。
【請求項２】
該反応混合物を形成する前に、該溶媒溶液から酸素を除去する工程を更に含む、請求項１に記載の方法。
【請求項３】
溶媒溶液が、約５０重量％〜約９０重量％の有機溶媒及び約１０重量％〜約５０重量％の水を含む、請求項１または２に記載の方法。
【請求項４】
溶媒溶液が、７５重量％の有機溶媒及び２５重量％の水を含む、請求項１または２に記載の方法。
【請求項５】
溶媒溶液を加熱する工程が、ビニル官能性カチオン性モノマー、疎水性ビニルモノマー、及び遊離基開始剤を溶媒溶液に加えて該反応混合物を形成する前に、溶媒溶液を還流に加熱することを含む、請求項１〜４のいずれかに記載の方法。
【請求項６】
該１種以上のビニル官能性カチオン性モノマーを、水溶液として該溶媒溶液に加える、請求項１〜５のいずれかに記載の方法。
【請求項７】
ビニル官能性カチオン性モノマーが、［２−（アクリルオキシ）エチル］ジメチルアンモニウムクロリド、［２−（メタクリルオキシ）エチル］ジメチルアンモニウムクロリド、［２−（アクリルオキシ）エチル］トリメチルアンモニウムクロリド、［２−（メチルアクリルオキシ）エチル］トリメチルアンモニウムクロリド、（３−アクリルアミドプロピル）トリメチルアンモニウムクロリド、Ｎ，Ｎ−ジアリルジメチルアンモニウムクロリド、［２−（アクリルオキシ）エチル］ジメチルベンジルアンモニウムクロリド、及び［２−（メタクリルオキシ）エチル］ジメチルベンジルアンモニウムクロリドから選択される、請求項１〜６のいずれかに記載の方法。
【請求項８】
ビニル官能性カチオン性モノマーが、ビニルピリジン、ジメチルアミノエチルアクリレート、及びジメチルアミノエチルメタクリレートから選択される前駆体モノマーから選択され、その後、ポリマーを４級化する、請求項１〜６のいずれかに記載の方法。
【請求項９】
ビニル官能性カチオン性モノマーが、［２−（アクリルオキシ）エチル］ジメチルアンモニウムクロリド、［２−（アクリルオキシ）エチル］ジメチルアンモニウムブロミド、［２−（アクリルオキシ）エチル］ジメチルアンモニウムヨージド、及び［２−（アクリルオキシ）エチル］ジメチルアンモニウムメチルスルフェートから選択される、請求項１〜６のいずれかに記載の方法。
【請求項１０】
ビニル官能性カチオン性モノマーが、［２−（メタクリルオキシ）エチル］ジメチルアンモニウムクロリド、［２−（メタクリルオキシ）エチル］ジメチルアンモニウムブロミド、［２−（メタクリルオキシ）エチル］ジメチルアンモニウムヨージド、及び［２−（メタクリルオキシ）エチル］ジメチルアンモニウムメチルスルフェートから選択される、請求項１〜６のいずれかに記載の方法。
【請求項１１】
ビニル官能性カチオン性モノマーが、［２−（アクリルオキシ）エチル］トリメチルアンモニウムクロリド、［２−（アクリルオキシ）エチル］トリメチルアンモニウムブロミド、［２−（アクリルオキシ）エチル］トリメチルアンモニウムヨージド、及び［２−（アクリルオキシ）エチル］トリメチルアンモニウムメチルスルフェートから選択される、請求項１〜６のいずれかに記載の方法。
【請求項１２】
ビニル官能性カチオン性モノマーが、［２−（メタクリルオキシ）エチル］トリメチルアンモニウムクロリド、［２−（メタクリルオキシ）エチル］トリメチルアンモニウムブロミド、［２−（メタクリルオキシ）エチル］トリメチルアンモニウムヨージド、及び［２−（メタクリルオキシ）エチル］トリメチルアンモニウムメチルスルフェートから選択される、請求項１〜６のいずれかに記載の方法。
【請求項１３】
ビニル官能性カチオン性モノマーが、（３−アクリルアミドプロピル）トリメチルアンモニウムクロリド、（３−アクリルアミドプロピル）トリメチルアンモニウムブロミド、（３−アクリルアミドプロピル）トリメチルアンモニウムヨージド、及び（３−アクリルアミドプロピル）トリメチルアンモニウムメチルスルフェートから選択される、請求項１〜６のいずれかに記載の方法。
【請求項１４】
ビニル官能性カチオン性モノマーが、Ｎ，Ｎ−ジアリルジメチルアンモニウムクロリド、Ｎ，Ｎ−ジアリルジメチルアンモニウムブロミド、Ｎ，Ｎ−ジアリルジメチルアンモニウムヨージド、及びＮ，Ｎ−ジアリルジメチルアンモニウムメチルスルフェートから選択される、請求項１〜６のいずれかに記載の方法。
【請求項１５】
ビニル官能性カチオン性モノマーが、［２−（アクリルオキシ）エチル］ジメチルベンジルアンモニウムクロリド、［２−（アクリルオキシ）エチル］ジメチルベンジルアンモニウムブロミド、［２−（アクリルオキシ）エチル］ジメチルベンジルアンモニウムヨージド、及び［２−（アクリルオキシ）エチル］ジメチルベンジルアンモニウムメチルスルフェートから選択される、請求項１〜６のいずれかに記載の方法。
【請求項１６】
ビニル官能性カチオン性モノマーが、［２−（メタクリルオキシ）エチル］ジメチルベンジルアンモニウムクロリド、［２−（メタクリルオキシ）エチル］ジメチルベンジルアンモニウムブロミド、［２−（メタクリルオキシ）エチル］ジメチルベンジルアンモニウムヨージド、及び［２−（メタクリルオキシ）エチル］ジメチルベンジルアンモニウムメチルスルフェートから選択される、請求項１〜６のいずれかに記載の方法。
【請求項１７】
疎水性ビニルモノマーが、分岐鎖又は線状アルキルビニルエーテル、ビニルエステル、アクリルアミド、及びアクリレートから選択される、請求項１〜１６のいずれかに記載の方法。
【請求項１８】
疎水性ビニルモノマーがメチルアクリレートである、請求項１〜１６のいずれかに記載の方法。
【請求項１９】
ビニル官能性カチオン性ポリマーが［２−（アクリルオキシ）エチル］トリメチルアンモニウムクロリドである、請求項１〜１８のいずれかに記載の方法。
【請求項２０】
疎水性ビニルモノマーが、メチルアクリレート、エチルアクリレート、プロピルアクリレート、及びブチルアクリレートからなる群から選択される、請求項１〜１９のいずれかに記載の方法。
【請求項２１】
遊離基開始剤が、２，２’−アゾビスイソブチロニトリル、２，２’−アゾビス（２−メチルブチロニトリル）、２，２’−アゾビス（２，４−ジメチルバレロニトリル）、及び２，２’−アゾビス（Ｎ，Ｎ’−ジメチレンイソブチルアミジン）からなる群から選択されるアゾ開始剤である、請求項１〜２０のいずれかに記載の方法。
【請求項２２】
遊離基開始剤が、ジ（ｎ−プロピル）ペルオキシジカーボネート、ジ（ｓｅｃ−ブチル）ペルオキシジカーボネート、ジ（２−エチルヘキシル）ペルオキシジカーボネート、ｔ−アミルペルオキシネオデカノエート、ｔ−ブチルペルオキシネオデカノエート、ｔ−アミルペルオキシピバレート、及びｔ−ブチルペルオキシピバレートからなる群から選択されるペルオキシド開始剤である、請求項１〜２０のいずれかに記載の方法。
【請求項２３】
重合後に工程Ｅから除去された有機溶媒を用いて工程Ａの混合溶媒溶液を調製し、その後、工程Ｂ〜Ｅを繰り返すことを更に含む、請求項１〜２２のいずれかに記載の方法。
【請求項２４】
混合溶媒溶液を調製する際に、工程Ｅからの有機溶媒に所定量の補給有機溶媒を加えることを更に含む、請求項２３に記載の方法。
【請求項２５】
該有機溶媒が、アセトン、メチルエチルケトン、テトラヒドロフラン、メチルアセテート、アセトニトリル、メタノール、エタノール、イソプロパノール、１−プロパノール、ｔ−ブタノール、及びこれらの混合物からなる群から選択される、請求項１〜２４のいずれかに記載の方法。
【請求項２６】
該有機溶媒がアセトンである、請求項１〜２４のいずれかに記載の方法。
【請求項２７】
該反応混合物から有機溶媒の実質的に全部を除去する工程（Ｅ．２）を、連続プロセスを用いて行う、請求項１〜２６のいずれかに記載の方法。
【請求項２８】
該連続プロセスが、該反応混合物をプレート式蒸発器に通すことを含む、請求項２７に記載の方法。